(57)【特許請求の範囲】
【請求項１】
携帯電子機器の部品実装構造において、
携帯電子機器に内蔵され、一定間隔で配置される２つのスピーカーの各々を囲み、音もれを防止し且つ音孔から音響を出力するためのスピーカー保持用リブと、
前記２つのスピーカーの間に配置され、前記スピーカー保持リブで保持されるボタンの位置決めを行うボタン位置決め用リブとを備え、
前記ボタンは、
基板上に実装され樹脂製のキートップが携帯電子機器の表面に突出するボタン用スイッチと、
箱形状のシリコンゴムで形成され、前記ボタン位置決め用リブにより、隣接する前記スピーカー保持用リブで形成される空間にはめ込まれ保持されるように、位置決めされ、前記ボタン用スイッチがシリコンゴムの箱形状の内部に組み込まれ、前記ボタン用スイッチの振動を防止するボタン振動吸収部とを有することを特徴とする携帯電子機器の部品実装構造。
【請求項２】
前記スピーカー保持用リブには固定フックが設けられ、さらに、対面側には可動フックが設けられ、スピーカーの１箇所を固定フックに引っかけ、他の箇所を可動フックで固定し、可動フックをボタン側に配置し、固定フックをボタン側と反対側に配置し、可動フックの切り欠き部分を前記ボタン振動吸収部の箱形形状により塞ぐことで音もれを防止することを特徴とする、請求項１に記載の携帯電子機器の部品実装構造。
【請求項３】
前記ボタン用スイッチを照光する発光ダイオードを前記基板に実装し、前記ボタン用スイッチが組み込まれる前記ボタン振動吸収部のシリコンゴムを乳白色とすることを特徴とする、請求項１に記載の携帯電子機器の部品実装構造。
【請求項４】
携帯電子機器の部品実装構造において、
携帯電子機器に内蔵される１つのスピーカーを囲み、音もれを防止し且つ音孔から音響を出力するためのスピーカー保持用リブと、
前記スピーカー保持リブで保持されるボタンの位置決めを行うボタン位置決め用リブとを備え、
前記ボタンは、
基板上に実装され樹脂製のキートップが携帯電子機器の表面に突出するボタン用スイッチと、
箱形状のシリコンゴムで形成され、前記ボタン位置決め用リブにより、隣接する前記スピーカー保持用リブで形成される空間にはめ込まれ保持されるように、位置決めされ、前記ボタン用スイッチがシリコンゴムの箱形状の内部に組み込まれ、前記ボタン用スイッチの振動を防止するボタン振動吸収部とを有し、
前記ボタンをスピーカーに隣接して設け、ボタン保持用リブを追加したボタン位置決め用リブと前記スピーカー保持用リブで形成される空間に前記ボタン振動吸収部をはめ込み保持を行うことを特徴とする携帯電子機器の部品実装構造。
【請求項５】
上側背面、正面筐体、下側背面、正面筐体で形成される折り畳み携帯電話機において、
２つのスピーカーと、
１つのボタンと、
上側背面筐体のリアカバーに一定間隔で配置される前記２つのスピーカーの各々を囲み、音漏れを防止し、且つ音孔から音響を出力するためのスピーカー保持用リブと、
前記２つのスピーカーの間に配置され、前記スピーカー保持リブで保持されるボタンの位置決めを行うボタン位置決め用リブとを備え、
前記ボタンは、
基板上に実装され樹脂製のキートップが携帯電子機器の表面に突出するボタン用スイッチと、
箱形状のシリコンゴムで形成され、前記ボタン位置決め用リブにより、隣接する前記スピーカー保持用リブで形成される空間にはめ込まれ保持されるように、位置決めされ、前記ボタン用スイッチがシリコンゴムの箱形状の内部に組み込まれ、前記ボタン用スイッチの振動を防止するボタン振動吸収部とを有することを特徴とする携帯電子機器の部品実装構造。
【発明の詳細な説明】
【技術分野】
【０００１】
本発明は携帯電子機器の部品実装構造に関する。特に、本発明は、実装効率を向上し、小型化、軽量化を図るための携帯電子機器の部品実装構造及び折り畳み携帯電話機に関する。
【背景技術】
【０００２】
近年、折り畳み携帯電話機は性能向上により大画面、ステレオ音響等、マルチメディアに対応するようになった。一方、カメラ撮影、音楽再生等の多機能化に伴いヒューマンインタフェース（マン・マシンインタフェース）も従来の数字キー、方向キーのみから専用キーの追加により操作性の向上が図られており、音質の向上により複数のスピーカーが設けられている。
【０００３】
専用キーとして用いられるボタンはボタン本体とボタン本体を保持する別ピースからなる。
複数のスピーカーの各々は、音漏れ対策のため、個々の周囲がリブで囲まれている。
ところで、折り畳み携帯電話機の小型化、軽量化の要求が強く、部品の実装効率の向上が求められているが、専用キーの操作性の確保が必要なため専用キーのボタン形状のみの小型化はできないという問題がある。
【０００４】
また、複数のスピーカーの各々自体を小型化することもできないという問題がある。
このため、音漏れ対策のため個々のスピーカーの周囲に設けられているリブをボタンの小型化、軽量化に寄与させ、折り畳み携帯電話機の実装効率を高めたいという課題がある。
このような技術分野に関連して以下の従来技術がある。
【０００５】
従来、大きな面型ボタンを筐体内の小さなスペースに組み込むことができ、而も筐体にビス締めなどの加工を行わずに面型ボタンを筐体に対して枢動自在に固定することができるようにするため、通話のための親機マイク、親機スピーカ、この通話を行うための面型ボタンを有し上筐体、下筐体で構成され、面型ボタンには、上筐体に被蓋されたパネルに対して枢動自在の突起した枢動軸と、パネルから抜けないようにするための引っ掛け爪と、引っ掛け爪に並設された溝とを設け、パネルには、枢動軸が枢着される軸受と、引っ掛け爪を係止して溝に嵌合される係止部材とを設けているものがある（例えば、特許文献１参照）。
【０００６】
しかしながら、上記特許文献１には、大きな面型ボタンを筐体内の小さなスペースに組み込むが、ボタンの小型化にスピーカーのリブを寄与させるという課題はない。
また、従来、薄膜状のＥＬ素子をキーパッドの内部に挿入し一体化させて生産コストを節減しながら厚さを最小化し、ＥＬ素子で発生する騷音及び振動を防止して素子の寿命延長と共にキーパッドの安定性を向上させることができる無線電話機用キーパッドを提供するため、ＥＬ素子内装一体型キーパッドは、固定接点を有する回路基板と、この回路基板の上部に位置するドームスイッチと、ドームスイッチを押して信号発生をすることができるように突起を有するベースとキートップからなるキーを含み、ベースとキートップとの間にはバックライティングを提供する薄膜のＥＬランプシートが密閉された状態で提供されるＥＬ素子内装一体型キーパッドを提供し、ＥＬ素子の上部にはＥＬ素子で発生した光を拡散しバックライティングがさらに高く発揮できるように導光印刷面が形成され、ベースとキートップはシリコンゴムや合成樹脂またはこれらの組み合わせからなることを特徴とするものもある（例えば、特許文献２参照）。
【０００７】
しかしながら、上記特許文献２では、薄膜状のＥＬ素子をキーパッドの内部に挿入し一体化させて生産コストを節減しながら厚さを最小化するが、前述のように、ボタンの小型化にスピーカーのリブを寄与させるという課題はない。
また、従来、キーボタン部から携帯機器の内部回路への水等の液体や粉塵の浸入を遮断するため、シリコン材等ゴムを成型したシートにより、樹脂、ゴム製等のキーボタンと機器のケース上面のキーパネルの間から、スイッチを有する電気回路パネルへの水等の液体や粉塵の浸入を遮断するものもある（例えば、特許文献３参照）。
【０００８】
しかしながら、上記特許文献３では、キーボタン部から携帯機器の内部回路への水等の液体や粉塵の浸入を遮断するが、前述のように、ボタンの小型化にスピーカーのリブを寄与させるという課題はない。
また、従来、着信メロディー等をステレオとして再生可能な複数のスピーカを備え、通常のステレオ再生以外の音響効果も実現可能な構成を提供するため、表示面を有する上ケース側に前面スピーカを内装し、上カバー側に背面スピーカを内装し、前面スピーカと背面スピーカは、互いのスピーカの背面同士が同軸上に重ならない位置にずらして実装され、着信音、音声、および音楽に関連する第１の音源情報と第２の音源情報によって前面スピーカと背面スピーカをそれぞれ独立に駆動する第１の再生手段と第２の再生手段を備え、携帯電話機が折り畳まれているときには、第２の再生手段のみを動作させて背面スピーカのみを駆動し、消費電力の節減を図るものもある（例えば、特許文献４参照）。
しかしながら、上記特許文献４では、ステレオとして再生可能な複数のスピーカを有するが、前述のように、ボタンの小型化にスピーカーのリブを寄与させるという課題はない。
【０００９】
【特許文献１】特開２００２−６４６０６号公報
【特許文献２】特開２００３−７１６１号公報
【特許文献３】特開２００１−４３７６８号公報
【特許文献４】特開２００４−９６５７３号公報
【発明の開示】
【発明が解決しようとする課題】
【００１０】
したがって、本発明は上記問題点に鑑みて、部品の実装効率を高め、小型化、軽量化を図る携帯電子機器の部品実装構造及び折り畳み携帯電話機を提供することを目的とする。
【課題を解決するための手段】
【００１１】
本発明は前記問題点を解決するために、携帯電子機器の部品実装構造において、携帯電子機器に内蔵され、一定間隔で配置される２つのスピーカーの各々を囲み、音もれを防止し且つ音孔から音響を出力するためのスピーカー保持用リブと、前記２つのスピーカーの間に配置され、前記スピーカー保持リブで保持されるボタンの位置決めを行うボタン位置決め用リブとを備え、前記ボタンは、基板上に実装され樹脂製のキートップが携帯電子機器の表面に突出するボタン用スイッチと、箱形状のシリコンゴムで形成され、前記ボタン位置決め用リブにより、隣接する前記スピーカー保持用リブで形成される空間にはめ込まれ保持されるように、位置決めされ、前記ボタン用スイッチがシリコンゴムの箱形状の内部に組み込まれ、前記ボタン用スイッチの振動を防止するボタン振動吸収部とを有することを特徴とする携帯電子機器の部品実装構造を提供する。
【００１２】
さらに、前記スピーカー保持用リブには固定フックが設けられ、さらに、対面側には可動フックが設けられ、スピーカーの１箇所を固定フックに引っかけ、他の箇所を可動フックで固定し、可動フックをボタン側に配置し、固定フックをボタン側と反対側に配置し、可動フックの切り欠き部分を前記ボタン振動吸収部の箱形形状により塞ぐことで音もれを防止する。
【００１３】
さらに、前記ボタン用スイッチを照光する発光ダイオードを前記基板に実装し、前記ボタン用スイッチが組み込まれる前記ボタン振動吸収部のシリコンゴムを乳白色とする。
さらに、携帯電子機器の部品実装構造において、携帯電子機器に内蔵される１つのスピーカーを囲み、音もれを防止し且つ音孔から音響を出力するためのスピーカー保持用リブと、前記スピーカー保持リブで保持されるボタンの位置決めを行うボタン位置決め用リブとを備え、前記ボタンは、基板上に実装され樹脂製のキートップが携帯電子機器の表面に突出するボタン用スイッチと、箱形状のシリコンゴムで形成され、前記ボタン位置決め用リブにより、隣接する前記スピーカー保持用リブで形成される空間にはめ込まれ保持されるように、位置決めされ、前記ボタン用スイッチがシリコンゴムの箱形状の内部に組み込まれ、前記ボタン用スイッチの振動を防止するボタン振動吸収部とを有し、前記ボタンをスピーカーに隣接して設け、ボタン保持用リブを追加したボタン位置決め用リブと前記スピーカー保持用リブで形成される空間に前記ボタン振動吸収部をはめ込み保持を行う。
【００１４】
さらに、本発明は、上側背面、正面筐体、下側背面、正面筐体で形成される折り畳み携帯電話機において、２つのスピーカーと、１つのボタンと、上側背面筐体のリアカバーに一定間隔で配置される前記２つのスピーカーの各々を囲み、音漏れを防止し、且つ音孔から音響を出力するためのスピーカー保持用リブと、前記２つのスピーカーの間に配置され、前記スピーカー保持リブで保持されるボタンの位置決めを行うボタン位置決め用リブとを備え、前記ボタンは、基板上に実装され樹脂製のキートップが携帯電子機器の表面に突出するボタン用スイッチと、箱形状のシリコンゴムで形成され、前記ボタン位置決め用リブにより、隣接する前記スピーカー保持用リブで形成される空間にはめ込まれ保持されるように、位置決めされ、前記ボタン用スイッチがシリコンゴムの箱形状の内部に組み込まれ、前記ボタン用スイッチの振動を防止するボタン振動吸収部とを有することを特徴とする携帯電子機器の部品実装構造を提供する。
【発明の効果】
【００１５】
以上説明したように、本発明によれば、携帯電子機器に内蔵され、一定間隔で配置される２つのスピーカーの各々を囲み、音もれを防止し且つ音孔から音響を出力するためのスピーカー保持用リブと、２つのスピーカーの間に配置され、スピーカー保持リブで保持されるボタンの位置決めを行うボタン位置決め用リブとを備え、ボタンは、基板上に実装され樹脂製のキートップが携帯電子機器の表面に突出するボタン用スイッチと、箱形状のシリコンゴムで形成され、ボタン位置決め用リブにより、隣接するスピーカー保持用リブで形成される空間にはめ込まれ保持されるように、位置決めされ、ボタン用スイッチがシリコンゴムの箱形状の内部に組み込まれ、ボタン用スイッチの振動を防止するボタン振動吸収部とを有する２つのスピーカーの各々を囲むリブの一部をボタンの従来の別ピースとして利用することに寄与できる。これにより、ボタンの別ピースの削減ができ、部品の実装効率を高め、携帯電子機器の小型化、軽量化を図れ、さらに、ボタンの防水が可能になる。
【発明を実施するための最良の形態】
【００１６】
以下、本発明の実施の形態について図面を参照して説明する。
図１は本発明に係る折り畳み携帯電話機の上側背面筐体のリアカバーに対する概略部品実装構造を示す平面図である。折り畳み携帯電話機の筐体は上側背面筐体、上側正面筐体、下側背面筐体、下側正面筐体からなり、本図に示すように、折り畳み携帯電話機の上側背面筐体のリアカバー１０１には内蔵される２つのスピーカー２０１が一定間隔で設けられ、２つのスピーカー２０１の間に内蔵されるボタン２１１が挟まれるように設けられる。
【００１７】
２つのスピーカー２０１はステレオ音響等の出力に使用される。
ボタン２１１はカメラ撮影、音楽再生等に使用される専用キーであり、後述するように、ボタン用スイッチ２１１Ａ、ボタン振動吸収部２１１Ｂからなる。
なお、図１では取り付けられた後のボタン２１１の裏面が示されている。
図２は図１における部品実装時の斜視図である。本図に示すように、携帯電話機の上側背面筐体のリアカバー１０１にはスピーカー保持用リブ２０２、ボタン位置決め用リブ２１２が設けられる。
【００１８】
スピーカー保持用リブ２０２はスピーカー２０１を保持し、さらに、隣接するスピーカー保持用リブ２０２はボタン振動吸収部２１１Ｂを保持する。
ボタン位置決め用リブ２１２は隣接するスピーカー保持用リブ２０２に保持されるボタン振動吸収部２１１Ｂのボタンの位置決めを行う。
ボタン位置決め用リブ２１２はボタン振動吸収部２１１Ｂの位置決めを行う棒を有する。
【００１９】
スピーカー保持用リブ２０２はリブで形成され、スピーカー２０１の周囲を囲み、スピーカー２０１の音もれを防止する。
さらに、スピーカー保持用リブ２０２には固定フック２０３が設けられ、さらに対面側には可動フック２０４が設けられ、スピーカー２０１は固定フック受部２０１−１で１箇所を固定フック２０３により引っかけられ、可動フック受部２０１−２で他の箇所を可動フック２０４にて固定される。このようにして、スピーカー２０１の側面の２方向がスピーカー保持用リブ２０２に保持される。
【００２０】
さらに、スピーカー保持用リブ２０２には音孔２０５が設けられ、音孔２０５はスピーカー２０１の音響を外部に出力する。
さらに、隣接するスピーカー保持用リブ２０２は２つのスピーカー２０１に挟まれるボタン２１１を保持するために使用される。
さらに、スピーカー２０１を可動フック２０４にて固定した場合、スピーカー２０１を保持するスピーカー保持用リブ２０２の壁に切り欠きが生じるため音もれの原因となる。
【００２１】
この場合、２つのスピーカー２０１の可動フック２０４がボタン２１１側に配置し、固定フック２０３がボタン２１１の反対側になるように配置し、ボタン振動吸収部２１１Ｂの箱形形状により可動フック２０４の切り欠き部分を塞ぐことで音もれを防止することが可能になる。
ボタン振動吸収部２１１Ｂはシリコンゴムで箱形状に形成され、後述のように箱形状の内部に組み込まれるボタン用スイッチ２１１Ａの振動を吸収する。
【００２２】
さらに、ボタン振動吸収部２１１Ｂにはボタン位置決め用凸部２１１Ｂ−１、ボタン位置決め用凸部２１１Ｂ−１のボタン位置決め用穴２１１Ｂ−２、ボタン位置決め用凹部２１１Ｂ−３が設けられる。
ボタン位置決め用凸部２１１Ｂ−１、ボタン位置決め用凹部２１１Ｂ−３がボタン位置決め用リブ２１２にはめ込まれ、さらに、ボタン位置決め用穴２１１Ｂ−２はボタン位置決め用リブ２１２のボタン位置決め用棒２１２−１を受け、ボタン振動吸収部２１１Ｂの位置決めが行われる。
【００２３】
これにより、隣接するリブ２０３はボタン２１１を囲む別ピースとして寄与し、従来、ボタンを保持していた別ピースの削減に寄与できる。このため、折り畳み携帯電話機の実装効率を高め、小型化、軽量化を図ることが可能になる。
図３は本発明に係る折り畳み携帯電話機の下側正面筐体のリアカバーに対する概略部品実装構造を示す平面図である。本図に示すように、折り畳み携帯電話機の下側正面筐体のリアカバー１０３とヒンジで結合する上側正面筐体のリアカバー１０２にはボタン用スイッチ２１１Ａが設けられ、ボタン用スイッチ２１１Ａは樹脂製のキートップ２１１Ｃを有し、リアカバー１０２の基板１０４上に実装され電気的に接続され、リアカバー１０１のボタン振動吸収部２１１Ｂに対向する位置に配置される。
【００２４】
上側正面筐体のリアカバー１０２と上側背面筐体のリアカバー１０１が嵌合するときに、ボタン用スイッチ２１１Ａがボタン振動吸収部２１１Ｂの箱形状の内部に組み込まれ、ボタン２１１が構成される。
キートップ２１１Ｃが押下、押下解除されると、ボタン用スイッチ２１１Ａのストローク機能により、基板１０４に対して、ＯＮ／ＯＦＦの情報が伝わる。
【００２５】
図４はボタン用スイッチ２１１Ａがボタン振動吸収部２１１Ｂに組み込まれたボタン２１１の例を示す図である。
本図(ａ)の斜視図に示すように、ボタン振動吸収部２１１Ｂに対して、ボタン用スイッチ２１１Ａが組み込まれると、ボタン振動吸収部２１１Ｂはボタン用スイッチ２１１Ａを取り囲み、本図(ｂ)の斜視図に示すように、ボタン２１１が形成され、本図（ｂ）にはボタン２１１の正面が示され、本図(ｃ)にはボタン２１１の裏面が示される。
【００２６】
図５は図４のボタン２１１の正面、側面を示す図である。本図(ａ)はボタン２１１の正面図であり、本図(ｂ)、（ｃ）は本図（ａ）のボタン２１１の上下の側面図であり、本図(ｄ)、（ｅ）は本図（ａ）のボタン２１１の左右の側面図である。
本図(ｅ)に示すように、上側背面筐体のリアカバー側にシリコンゴムのボタン振動吸収部２１１Ｂが位置し、上側背面筐体のフロントカバー側（表面側）に樹脂側のキートップ２１１Ｃが位置する。
【００２７】
本図(ｅ)に示すように、キートップ２１１Ｃは上側背面筐体のリアカバー１０１に対してフロントカバー側（表面側）に突出し、ボタン振動吸収部２１１Ｂは上側背面筐体のリアカバー１０１と下側正面筐体のリアカバー１０２の基板１０４に挟み込まれ、防水構造が形成される。
【実施例１】
【００２８】
図６は図３の変形例であり、本発明に係る折り畳み携帯電話機の下側正面筐体のリアカバーに対する概略部品実装構造を示す平面図である。本図に示すように、図３と比較して、好ましくは、折り畳み携帯電話機の下側正面筐体のリアカバー１０２の基板１０４上にはボタン振動吸収部２１１Ｂに隣接して２つの発光ダイオード（ＬＥＤ）２２１が実装される。発光ダイオード２２１はボタン２１１のボタン振動吸収部２１１Ｂを照光する。
【００２９】
この場合、ボタン振動吸収部２１１Ｂを形成するシリコンゴムを乳白色とすることで発光ダイオード２２１の輝度ムラを抑えることが可能である。
【実施例２】
【００３０】
好ましくは、１つのスピーカー２０１に隣接してボタン２１１を設ける場合には、ボタン位置決め用リブ２１２にボタン保持用リブを追加し、スピーカー保持用リブ２０２と共にボタン位置決め用リブ２１２にボタン振動吸収部２１１Ｂをはめ込み保持する。前述の例と比較して効果は小さいが、従来の別ピースの削減が可能である。
【産業上の利用可能性】
【００３１】
以上、折り畳み携帯電話機について説明したが、棒状の携帯電話機、ＰＨＳ（簡易携帯電話機）、ＰＤＡ（携帯情報端末）にも利用可能である。スピーカーのリブを利用してボタンの別ピースの削除について説明したが、スピーカーに代わる他の部品の壁に対しても利用可能である。
【図面の簡単な説明】
【００３２】
【図１】本発明に係る折り畳み携帯電話機の上側背面筐体のリアカバーに対する概略部品実装構造を示す平面図である。
【図２】図１における部品実装時の斜視図である。
【図３】本発明に係る折り畳み携帯電話機の下側正面筐体のリアカバーに対する概略部品実装構造を示す平面図である。
【図４】ボタン用スイッチ２１１Ａがボタン振動吸収部２１１Ｂに組み込まれたボタン２１１の例を示す図である。
【図５】図４のボタン２１１の正面、側面を示す図である。本図(ａ)はボタン２１１の正面図であり、本図(ｂ)、（ｃ）は本図（ａ）のボタン２１１の上下の側面図であり、本図(ｄ)、（ｅ）は本図（ａ）のボタン２１１の左右の側面図である。
【図６】図３の変形例であり、本発明に係る折り畳み携帯電話機の下側正面筐体のリアカバーに対する概略部品実装構造を示す平面図である。
【符号の説明】
【００３３】
１０１…折り畳み携帯電話機の上側背面筐体のリアカバー
１０２…折り畳み携帯電話機の上側正面筐体のリアカバー
１０３…折り畳み携帯電話機の下側正面筐体のリアカバー
２０１…スピーカー
２０２…スピーカー保持用リブ
２０３…固定フック
２０４…可動フック
２０５…音孔
２１１…ボタン
２１１Ａ…ボタン用スイッチ
２１１Ｂ…ボタン振動吸収部
２１１Ｂ−１…ボタン位置決め用凸部
２１１Ｂ−２…ボタン位置決め用穴
２１１Ｂ−３…ボタン位置決め用凹部
２１１Ｃ…キートップ
２１２…ボタン位置決め用リブ
２１２−１…ボタン位置決め用棒
２２１…発光ダイオード
【図１】
0004505819.tif 000002
【図２】
0004505819.tif 000003
【図３】
0004505819.tif 000004
【図４】
0004505819.tif 000005
【図５】
0004505819.tif 000006
【図６】
0004505819.tif 000007